(57)【要約】【課題】  セファロＸ線撮影時において、軟組織を十分に識別するためには、Ｘ線量を制御する撮影条件の設定が重要であり、被験者の大小にかかわらず被験者の軟組織が明確に撮影できることを特徴とするセファロＸ線撮影装置を提供する。【解決手段】  セファロＸ線撮影において、軟組織を明確に撮影するために被験者の大小で位置が変化するセファロスタット部にある前頭部押さえに位置検出手段を設けて、前頭部押さえの位置を検出して、Ｘ線制御手段によりＸ線量のパラメータである管電圧、または管電流、または撮影時間を個別に設定してＸ線量を制御する。あるいは、その組み合わせにより設定を行いＸ線量を制御する。【選択図】  図２
2005312597.tif 000002
【特許請求の範囲】
【請求項１】
歯科矯正領域で用いられるイヤーロットを基準として、被験者の頭部位置を設定し撮影を行う、所謂セファロＸ線撮影装置において、セファロ側面撮影時に被験者の大小にかかわらず軟組織を明確に撮影するために、セファロスタット部にある前頭部押さえの位置を検出する位置検出手段と、Ｘ線制御手段と、を設けて、前記位置検出手段からの信号により前記Ｘ線制御手段がＸ線量の制御を行うことを特徴とするセファロＸ線撮影装置。
【請求項２】
前記Ｘ線制御手段により、前記Ｘ線量の制御に、管電圧または、管電流または、撮影時間を個別に設定して制御する。あるいは、それぞれの組み合わせにより設定を行い制御することを特徴とする請求項１に記載のセファロＸ線撮影装置。
【請求項３】
前記位置検出手段が、リニアエンコーダ、ロータリーエンコーダまたは、スライド抵抗あるいは、ポテンショメータのいずれかであることを特徴とする請求項１及び請求項２に記載のセファロＸ線撮影装置。
【発明の詳細な説明】
【技術分野】
【０００１】
本発明は、セファロＸ線撮影装置に関する。
【０００２】
さらに詳しくは、セファロ側面撮影時に被験者の大小にかかわらず軟組織を明確に撮影するため、セファロスタット部に位置検出手段と、Ｘ線制御手段と、を設けＸ線制御手段がＸ線量を制御するセファロＸ線撮影装置に関する。
【背景技術】
【０００３】
従来、セファロ撮影において、軟組織も十分に識別し得る頭蓋骨の撮影像に対するニーズが存在する。この時、顔側面の撮影において、軟組織を明確に撮影するため、Ｘ線源側コリメータの前方に設けた軟組織ウェッジフィルターを用いて撮影を行う方法がある。これは、通常、くさび形の軟組織強調フィルターを用いており、被験者の顔を透過するＸ線ビームを局部的に減衰させ撮影像において、軟組織が識別されるようにしている。ここでの問題点は、頭蓋骨の構造及び、その周辺の軟組織の両方について、その撮影像は最高の解像度が必要となる。これを得るためには、被験者の大小により軟組織ウェッジフィルターの位置決めが重要になってくる。
【特許文献１】特開平７‐８４８３
【発明の開示】
【発明が解決しようとする課題】
【０００４】
本発明は、以上の状況を鑑みなされたもので、その解決しようとする課題は、以下の通りである。セファロＸ線撮影において、軟組織ウェッジフィルターを用いず軟組織を十分に識別できる撮影像を撮影するためには、被験者の大小にかかわらずＸ線量を制御するための撮影条件の設定が重要になる。これは被験者の大小により撮影条件が異なるため、撮影条件によっては、被験者の軟組織が明確に撮影されないことがある。これは、多くの場合、術者の経験により撮影条件が設定されることにある。このように被験者の大小にかかわらず軟組織を明確に撮影するためには、Ｘ線量をいかにうまく制御するかが必要となってくる。
【課題を解決するための手段】
【０００５】
セファロＸ線撮影において、軟組織を明確に撮影するために被験者の大小で位置が変化するセファロスタット部にある前頭部押さえに位置検出手段を設けて、前頭部押さえの位置を検出し、Ｘ線制御手段によりＸ線量を制御するパラメータである管電圧または、管電流または、撮影時間を個別に設定し制御する。あるいは、それぞれの組み合わせにより設定を行い制御できるようにすることである。
【発明の効果】
【０００６】
セファロＸ線撮影において、セファロスタット部にある前頭部押さえは、被験者の大小により位置が変化する。この前頭部押さえの位置を検出する位置検出手段を設け、Ｘ線制御手段によりＸ線量を制御することにより、被験者の大小にかかわらず軟組織を明確に撮影することができる。即ち軟組織も十分に識別し得る撮影像の要求に対して十分答えることができる。また術者による撮影条件の違いがなくなり、誰でも軟組織が十分に識別できる撮影像を撮影することができる。
【発明を実施するための最良の形態】
【０００７】
セファロＸ線撮影装置において、セファロスタット部にある前頭部押さえの位置は、被験者の大小により変化する。この変化を位置検出手段により検出を行い、またＸ線制御手段によりＸ線量の制御を行う。
【実施例】
【０００８】
以下実施例に基づいて説明する。図１(a)は、本発明に係るセファロＸ線装置の外観正面図であり、図１(b)は、セファロスタット部１の側面図の一例である。図２は、セファロスタット部１にある前頭部押さえ２に位置検出手段（位置センサー）３を取り付けた詳細図の一例である。また図３は、本発明に係る装置のブロック図の一例である。図１に示すセファロＸ線装置は、被験者の位置決めを行うセファロスタット部１がセファロアーム５により支持されている。また、セファロスタット部１に対向してＸ線発生器７が配置されている。セファロスタット部１は、前頭部押さえ２とイヤロッド４により構成され、被験者の位置決めを行う。図２は、前頭部押さえ２に位置検出手段３を取り付けた状態を示しており、位置検出手段３には、摺動用のレバー６があり、そのレバー６の摺動により抵抗値が変化する構造になっている。このレバー６が前頭部押さえ２に固定されており、前頭部押さえ２の移動に伴いレバー６が前後に摺動することにより得られる抵抗値の変化を検出する。この抵抗値の変化を検出することにより装置の撮影条件である管電圧、または管電流、または撮影時間を個別に設定してＸ線量を制御する。あるいは、その組み合わせにより設定を行いＸ線量を制御する。このことから被験者の大小によりＸ線量を制御することになり、被験者の大小にかかわらず軟組織の明確な撮影が可能となる。
図３のブロック図から前頭部押さえ２の位置の変化を検出する位置検出手段（位置センサー）３によって、Ｘ線制御手段８を構成するＣＰＵへの信号を生成する。続いて、ＣＰＵは、検出信号から、最適の管電圧、または、管電流、または、撮影時間を個別に設定あるいは、それぞれの組み合わせにより設定を行い、それぞれの設定回路へ出力する。これを受けＸ線発生器７より最適なＸ線量が出力される。
【図面の簡単な説明】
【０００９】
【図１】図１(a)は、本発明に係るセファロＸ線撮影装置の外観正面図である。また図１(b)は、本発明に係るセファロスタット部の側面図である。
【図２】本発明に係るセファロスタット部にある前頭部押さえに位置検出手段を配置した詳細図である。
【図３】本発明に係る装置のブロック図である。
【符号の説明】
【００１０】
１  セファロスタット部
２  前頭部押さえ
３  位置検出手段(位置センサー)
４  イヤロッド
５  セファロアーム
６  レバー
７  Ｘ線発生器
８  Ｘ線制御手段
【図１】
2005312597.tif 000003
【図２】
2005312597.tif 000004
【図３】
2005312597.tif 000005